(57)【要約】【課題】  送信機Ｄ１、Ｄ２によりアンテナ１を介して信号を送信する送信装置で、不要に送信機Ｄ１、Ｄ２からの出力がオフとされてしまうことを防止する。【解決手段】  複数の送信機Ｄ１、Ｄ２と、アンテナ１を備えた。送信機切替手段２が、複数の送信機Ｄ１、Ｄ２のうちのいずれかとアンテナ１とが接続されるように切り替える。送信機出力制御手段１２が、送信機切替手段２による切り替えとタイミングずれ無しで同期した信号に基づいて、複数の送信機Ｄ１、Ｄ２のいずれもがアンテナ１と非接続であるとみなされる状態では複数の送信機Ｄ１、Ｄ２からの出力を停止させる。【選択図】  図１
2006129333.tif 000002
【特許請求の範囲】
【請求項１】
送信機によりアンテナを介して信号を送信する送信装置において、
複数の送信機と、
アンテナと、
前記複数の送信機のうちのいずれかとアンテナとが接続されるように切り替える送信機切替手段と、
前記送信機切替手段による切り替えのタイミングにずれ無しで同期した信号に基づいて、前記複数の送信機のいずれもがアンテナと非接続であると判定したときに前記複数の送信機からの出力を停止させる送信機出力制御手段と、
を備えたことを特徴とする送信装置。
【請求項２】
請求項１に記載の送信装置において、
前記送信機切替手段は、前記切り替えタイミングにずれ無しで同期した信号を出力し、
前記送信機出力制御手段は、前記送信機切替手段による切り替えのタイミングにずれ無しで同期した信号に基づいて、前記複数の送信機のいずれもがアンテナと非接続であると判定したときに前記複数の送信機からの出力を停止させる、
ことを特徴とする送信装置。
【請求項３】
請求項１又は請求項２に記載の送信装置において、
前記送信機切替手段は、前記送信機切替手段による切り替えのタイミングにずれ有りで同期した信号を出力し、
当該送信装置は、前記送信機切替手段による切り替えのタイミングにずれ有りで同期した信号に基づいて、前記送信機切替手段による切り替えを制御する送信機切替制御手段を備えた、
ことを特徴とする送信装置。
【発明の詳細な説明】
【技術分野】
【０００１】
本発明は、複数の送信機を切替器により切り替えてアンテナと接続する送信装置に関し、特に、いずれの送信機もアンテナと接続されていない状態において送信機からの出力をオフとする切替器保護制御部により不要に送信機からの出力がオフとされてしまうことを防止した送信装置に関する。
【背景技術】
【０００２】
例えば、テレビジョン送信装置では、現用系のテレビジョン送信機と予備系のテレビジョン送信機といった２台のテレビジョン送信機を備えて、これら２台のテレビジョン送信機を同軸切替器により切り替えることが行われている。
具体例として、１号送信機と２号送信機とのいずれか一方がアンテナと接続されるように同軸切替器により切り替えが行われ、同軸切替器は切替制御部により制御される。
また、同軸切替器は、１号送信機とアンテナとの接続状態に関する信号であるアンサーＡと、２号送信機とアンテナとの接続状態に関する信号であるアンサーＢを切替制御部へ出力する。
【０００３】
また、テレビジョン送信装置には、切替器保護制御部が備えられている。
切替器保護制御部は、同軸切替器から出力されるアンサーＡ、Ｂに基づいて、いずれの送信機（１号送信機、２号送信機）もアンテナと接続されていないとみなされる状態では送信機（１号送信機、２号送信機）からの出力をオフとするように、１号送信機のオンオフや２号送信機のオンオフを制御する。
【０００４】
図６には、切替器保護制御部の論理回路の構成例を示してある。
ＯＲ回路４１にアンサーＡ及びアンサーＢが入力される。
一方のＡＮＤ回路４２は、１号送信機のオンオフ切替信号とＯＲ回路４１からの出力を入力して、その論理演算結果を１号送信機のオンオフ制御信号として出力する。
他方のＡＮＤ回路４３は、２号送信機のオンオフ切替信号とＯＲ回路４１からの出力を入力して、その論理演算結果を２号送信機のオンオフ制御信号として出力する。
図６に示した例では、アンサーＡ及びアンサーＢが共にオフ（本例では、０値（ＬＯＷ））である状態では、１号送信機オンオフ制御信号及び２号送信機オンオフ制御信号が共にオフ（本例では、０値（ＬＯＷ））の状態となって、１号送信機からの出力と２号送信機からの出力が共にオフとなって停止させられる。
【０００５】
図７には、同軸切替器のＲＦ同軸回路の状態とアンサーＡ、Ｂの状態に関するタイミングチャートの一例を示してある。
本例では、ＲＦ同軸回路が（１−２、３−４）である状態では、図２（a）の通り、１号送信機とアンテナとが接続されるとともに２号送信機とダミー負荷とが接続され、ＲＦ同軸回路が（１−４、２−３）である状態では、図２（b）の通り、２号送信機とアンテナとが接続されるとともに１号送信機とダミー負荷とが接続される。
１号送信機とアンテナとの接続状態に関しては、１号送信機とアンテナとが接続された状態ではアンサーＡがオン（本例では、１値（ＨＩＧＨ））であり、アンサーＡがオフとなった後に１号送信機とアンテナとの接続状態がオフ（非接続）となり、また、１号送信機とアンテナとが非接続な状態から接続される場合には、１号送信機とアンテナとの接続状態がオン（接続）となった後にアンサーＡがオンとなる。
また、２号送信機とアンテナとの接続状態及びアンサーＢに関しても、同様である。
【０００６】
【特許文献１】特開２００３−１５２５６４号公報
【発明の開示】
【発明が解決しようとする課題】
【０００７】
しかしながら、図６や図７に示されるような構成では、同軸切替器のＲＦ同軸回路について（１−２、３−４）の接続状態がオンであるか又は（１−４、２−３）の接続状態がオンであるときにおいても、つまり、１号送信機と２号送信機がそれぞれアンテナ又はダミー負荷に接続されているときにおいても、アンサーＡとアンサーＢが共にオフとなる場合があり、切替器保護制御部の回路により送信機（１号送信機、２号送信機）からの出力信号がオフとされて停波となってしまうといった問題があった。特に、何らかの要因により同軸切替器がずれたような場合などには、このような問題が顕著であった。
【０００８】
本発明は、このような従来の事情に鑑み為されたもので、複数の送信機を切替器により切り替えてアンテナと接続する構成において、いずれの送信機もアンテナと接続されていない状態において送信機からの出力をオフとする切替器保護制御部により不要に送信機からの出力がオフとされてしまうことを防止して、送信の効率化を図ることができる送信装置を提供することを目的とする。
【課題を解決するための手段】
【０００９】
上記目的を達成するため、本発明に係る送信装置では、複数の送信機と、アンテナを備え、送信機によりアンテナを介して信号を送信するに際して、次のような処理を行う。
すなわち、送信機切替手段が、前記複数の送信機のうちのいずれかとアンテナとが接続されるように切り替える。
また、送信機出力制御手段が、前記送信機切替手段による切り替えのタイミングにずれ無しで同期した信号に基づいて、前記複数の送信機のいずれもがアンテナと非接続である（つまり、接続されていない）と判定したときに、前記複数の送信機からの出力を停止させる。
【００１０】
従って、例えば、複数の送信機を切替器により切り替えてアンテナと接続する構成において、送信機の切り替えのタイミングにずれ無しで同期した信号に基づいて、いずれの送信機もアンテナと接続されていない状態では、切替器保護制御部により送信機からの出力が停止させられるため、送信機からの出力をオフとする切替器保護制御部により不要に送信機からの出力がオフとされてしまうことを防止することができ、送信の効率化を図ることができる。
【００１１】
ここで、複数の送信機の数としては、種々な数が用いられてもよい。
一例として、１個又は複数の現用系の送信機と、１個又は複数の予備系の送信機との組み合わせを用いることができる。
また、送信機としては、種々なものが用いられてもよく、例えば、テレビジョン放送の信号を無線により送信するテレビジョン送信機などを用いることができる。
また、アンテナとしては、例えば、複数の送信機に対して１個のアンテナ（或いは、アレイアンテナなどでは１組のアンテナ）が用いられ、複数の送信機のうちのいずれか１個と１個（或いは、１組）のアンテナとが接続される。
【００１２】
また、送信機切替手段による切り替えのタイミングにずれ無しで同期した信号としては、種々な信号が用いられてもよく、例えば、送信機とアンテナとの接続状態（接続された状態や、接続されていない状態）をタイミングのずれ無しに反映したような信号が用いられる。
また、送信機切替手段による切り替えのタイミングにずれ無しで同期した信号としては、例えば、実用上で有効な程度であれば、タイミングずれ無しで同期する精度について多少の誤差があってもよい。
また、複数の送信機のいずれもがアンテナと非接続であるとみなされる状態としては、例えば、切り替えの途中であっていずれの送信機もアンテナと接続されていないような状態が用いられる。
また、複数の送信機からの出力を停止させる態様としては、例えば、全ての送信機からの出力を停止させる態様が用いられる。
【００１３】
本発明に係る送信装置では、一構成例として、次のような処理を行う。
すなわち、前記送信機切替手段は、前記送信機切替手段による切り替えのタイミングにずれ無しで同期した信号を出力する。
また、前記送信機出力制御手段は、前記送信機切替手段による切り替えのタイミングにずれ無しで同期した信号に基づいて、前記複数の送信機のいずれもがアンテナと非接続であると判定したとき、前記複数の送信機からの出力を停止させる。
従って、送信機の切り替えを行う送信機切替手段による送信機の切り替えのタイミングにずれ無しで同期した信号を出力して、当該信号に基づいて、送信機からの出力が停止させられることにより、不要に送信機からの出力がオフとされてしまうことを防止することができる。
【００１４】
ここで、送信機切替手段による切り替えのタイミングにずれ無しで同期した信号としては、例えば、それぞれの送信機について、送信機とアンテナとの接続状態（接続された状態、或いは、接続されていない状態）をタイミングのずれ無しに反映したような信号を用いることができ、この場合、例えば、全ての送信機について信号がアンテナと接続されていないことを表す状態では、全ての送信機からの出力を停止させる。
【００１５】
本発明に係る送信装置では、一構成例として、次のような処理を行う。
すなわち、前記送信機切替手段は、前記送信機切替手段による切り替えのタイミングにずれ有りで同期した信号を出力する。
また、送信機切替制御手段は、前記送信機切替手段による切り替えのタイミングにずれ有りで同期した信号に基づいて、前記送信機切替手段による切り替えを制御する。
従って、送信機の切り替えのタイミングにずれ有りで同期した信号に基づいて送信機の切り替えを適切に制御すると共に、送信機の切り替えとタイミングずれ無しで同期した信号に基づいて送信機からの出力を適切に停止させることができ、送信機の切り替えと送信機からの出力停止とで、それぞれに適した信号によりそれぞれの処理を実行することができる。
【００１６】
ここで、送信機切替手段による切り替えのタイミングにずれ有りで同期した信号としては、種々な信号が用いられてもよく、例えば、送信機とアンテナとの接続状態（接続された状態や、接続されていない状態）をタイミングのずれ有りに反映したような信号が用いられる。具体例として、それぞれの送信機について、送信機とアンテナとの接続状態（接続された状態、或いは、接続されていない状態）を所定のタイミングのずれを設けて反映したような信号を用いることができ、一例として、送信機とアンテナとが非接続な状態から接続された状態へ切り替えられてから所定の時間が経過したときにそのことを表し、送信機とアンテナとが接続された状態から非接続な状態へ切り替えられるよりも所定の時間だけ前にそのことを表すような信号を用いることができる。
また、送信機切替手段による切り替えとタイミングずれ有りで同期した信号としては、例えば、実用上で有効な程度であれば、所定の時間間隔をもってタイミングずれ有りで同期する精度について多少の誤差があってもよい。
【発明の効果】
【００１７】
以上説明したように、本発明に係る送信装置によると、複数の送信機のうちのいずれかとアンテナとが接続されるように切り替えるに際して、送信機の切り替えのタイミングにずれ無しで同期した信号に基づいて、複数の送信機のいずれもがアンテナと非接続であると判定したときでは複数の送信機からの出力を停止させるようにしたため、例えば、不要に送信機からの出力がオフとされてしまうことを防止することができ、送信の効率化を図ることができる。
【発明を実施するための最良の形態】
【００１８】
本発明に係る一実施例を図面を参照して説明する。
図１には、本発明の一実施例に係るテレビジョン送信装置の構成例を示してある。
本例のテレビジョン送信装置は、例えば現用系として使用される１号変調器Ｃ１及び１号送信機Ｄ１と、例えば予備系として使用される２号変調器Ｃ２及び２号送信機Ｄ２と、無線信号を送信するアンテナ１と、ダミー負荷Ｒ１と、１号送信機Ｄ１と２号送信機Ｄ２との一方をアンテナ１と接続して他方をダミー負荷Ｒ１と接続するように切り替える回転式の同軸切替器２と、自動制御表示板３を備えている。
また、自動制御表示板３は、同軸切替器２による切り替えを制御する切替制御部１１と、送信機（１号送信機Ｄ１、２号送信機Ｄ２）からの出力のオンオフを制御する切替器保護制御部１２と、切替要求入力部１３と、１／２号送信機制御入力部１４を備えている。
【００１９】
１号変調器Ｃ１は、送信対象となるデータを入力して、当該データを変調し、当該変調結果の信号を１号送信機Ｄ１へ出力する。
１号送信機Ｄ１は、１号変調器Ｃ１から入力される信号について送信のための処理を施して、当該処理後の信号を同軸切替器２へ出力する。
２号変調器Ｃ２は、送信対象となるデータを入力して、当該データを変調し、当該変調結果の信号を２号送信機Ｄ２へ出力する。
２号送信機Ｄ２は、２号変調器Ｃ２から入力される信号について送信のための処理を施して、当該処理後の信号を同軸切替器２へ出力する。
【００２０】
同軸切替器２は、４個の端子（第１端子、第２端子、第３端子、第４端子）を有している。第１端子は１号送信機Ｄ１の出力端と接続されており、第２端子はアンテナ１と接続されており、第３端子は２号送信機Ｄ２の出力端と接続されており、第４端子はダミー負荷Ｒ１と接続されている。
同軸切替器２は、切替制御部１１から出力される制御信号（ＲＦ同軸切替制御信号）に基づいて、ＲＦ同軸回路の状態として、第１端子と第２端子とが接続されるとともに第３端子と第４端子とが接続される状態（（１−２、３−４）の状態）と、第１端子と第４端子とが接続されるとともに第２端子と第３端子とが接続される状態（（１−４、２−３）の状態）とを切り替える。
【００２１】
図２（ａ）には、同軸切替器２のＲＦ同軸回路が（１−２、３−４）の状態である場合の様子を示してあり、この場合、１号送信機Ｄ１から出力される無線周波数（ＲＦ：Ｒａｄｉｏ  Ｆｒｅｑｕｅｎｃｙ）帯の信号（ＲＦ信号）が同軸切替器２を介してアンテナ１へ出力され、また、２号送信機Ｄ２から出力されるＲＦ信号は同軸切替器２を介してダミー負荷Ｒ１へ出力される。
また、図２（ｂ）には、同軸切替器２のＲＦ同軸回路が（１−４、２−３）の状態である場合の様子を示してあり、この場合、１号送信機Ｄ１から出力されるＲＦ信号は同軸切替器２を介してダミー負荷Ｒ１へ出力され、また、２号送信機Ｄ２から出力されるＲＦ信号が同軸切替器２を介してアンテナ１へ出力される。
【００２２】
なお、本例では、現用系と予備系との２台のテレビジョン送信機（１号送信機Ｄ１、２号送信機Ｄ２）を切り替える２台方式のテレビジョン送信装置を示してあり、テレビジョン送信機の動作時においては、通常、１号送信機Ｄ１と２号送信機Ｄ２とで、いずれか一方の送信機はオフとなる。
具体例としては、正常時には現用系を使用して無線送信を行い、また、現用系の異常時などには、現用系の使用を停止して、その代わりに、予備系を使用して無線送信を行う。
【００２３】
また、同軸切替器２は、送信機（１号送信機Ｄ１、２号送信機Ｄ２）とアンテナ１及びダミー負荷Ｒ１との接続状態に応じて、当該接続状態に対して所定のタイミング（第１タイミング）で同期した信号であるアンサーＡ及びアンサーＢを切替制御部１１へ出力し、また、当該接続状態に対して異なる所定のタイミング（第２タイミング）で同期した信号であるアンサーＡ１及びアンサーＢ１を切替器保護制御部１２へ出力する。
【００２４】
自動制御表示板３は、例えば、操作者などの人に対してテレビジョン送信などに関する種々な情報を画面に表示出力する機能や、操作者などの人により操作部が操作されることにより或いは外部の機能部から入力される信号によりテレビジョン送信などに関する種々な指示や情報を入力する機能を有している。
切替要求入力部１３は、例えば操作者などの人により操作部が操作されることに応じて或いは外部の機能部から入力される信号に応じて、１号送信機Ｄ１と２号送信機Ｄ２とを切り替えるための切替要求信号を切替制御部１１へ出力する。
切替制御部１１は、切替要求入力部１３から入力される切替要求信号と、同軸切替器２から入力されるアンサーＡ及びアンサーＢに基づいて、同軸切替器２のＲＦ同軸回路の状態を（１−２、３−４）状態と（１−４、２−３）状態とで切り替えるための信号（ＲＦ同軸切替制御信号）を同軸切替器２へ出力する。
【００２５】
１／２号送信機制御入力部１４は、例えば操作者などの人により操作部が操作されることに応じて或いは外部の機能部から入力される信号に応じて、１号送信機Ｄ１のオンオフを切り替えるための信号（１号送信機オンオフ切替信号）及び２号送信機Ｄ２のオンオフを切り替えるための信号（２号送信機オンオフ切替信号）を切替器保護制御部１２へ出力する。
切替器保護制御部１２は、１／２号送信機制御入力部１４から入力される１号送信機オンオフ制御信号及び２号送信機オンオフ制御信号と、同軸切替器２から入力されるアンサーＡ１、Ｂ１に基づいて、１号送信機Ｄ１のオンオフを制御するための信号（１号送信機オンオフ制御信号）を１号送信機Ｄ１へ出力するとともに、２号送信機Ｄ２のオンオフを制御するための信号（２号送信機オンオフ制御信号）を２号送信機Ｄ２へ出力する。
【００２６】
次に、図３〜図５を参照して、切替制御部１１や切替器保護制御部１２やアンサーＡ、Ｂ、Ａ１、Ｂ１について、詳しく説明する。
なお、本例では、オン（ＯＮ）の状態として０値或いはロウ（ＬＯＷ）の状態が用いられており、オフ（ＯＦＦ）の状態として１値或いはハイ（ＨＩＧＨ）の状態が用いられている。
また、本例では、反転としては、０値（或いは、ロウ）と１値（或いは、ハイ）とを入れ替えることが行われる。
また、本例では、ＡＮＤ回路は、２つの入力信号が共に１値（或いは、ハイ）である入力状態では１値（或いは、ハイ）の信号を出力し、一方又は両方の入力信号が０値（或いは、ロウ）である入力状態では０値（或いは、ロウ）の信号を出力する。
また、本例では、ＯＲ回路は、２つの入力信号が共に０値（或いは、ロウ）である入力状態では０値（或いは、ロウ）の信号を出力し、一方又は両方の入力信号が１値（或いは、ハイ）である入力状態では１値（或いは、ハイ）の信号を出力する。
【００２７】
図３には、切替制御部１１の論理回路の構成例を示してある。
本例の切替制御部１１は、２個のＡＮＤ回路２１、２２を用いて構成されている。
ＡＮＤ回路２１では、一方の入力端に切替要求入力部１３からの切替要求信号が入力され、他方の入力端に同軸切替器２からのアンサーＡが反転させられて入力され、これらの入力状態に応じて、その論理演算結果が出力端から（１−２、３−４）の状態に関するＲＦ同軸切替制御信号として同軸切替器２へ出力される。
ＡＮＤ回路２２では、一方の入力端に切替要求入力部１３からの切替要求信号が反転させられて入力され、他方の入力端に同軸切替器２からのアンサーＢが反転させられて入力され、これらの入力状態に応じて、その論理演算結果が出力端から（１−４、２−３）の状態に関するＲＦ同軸切替制御信号として同軸切替器２へ出力される。
【００２８】
図４には、切替器保護制御部１２の論理回路の構成例を示してある。
本例の切替器保護制御部１２は、１個のＯＲ回路３１と、２個のＡＮＤ回路３２、３３を用いて構成されている。
ＯＲ回路３１では、一方の入力端に同軸切替器２からのアンサーＡ１が入力され、他方の入力端に同軸切替器２からのアンサーＢ１が入力され、これらの入力状態に応じて、その論理演算結果が出力端から出力される。
ＡＮＤ回路３２では、一方の入力端に１／２号送信機制御入力部１４からの１号送信機オンオフ切替信号が入力され、他方の入力端にＯＲ回路３１からの出力信号が入力され、これらの入力状態に応じて、その論理演算結果が出力端から１号送信機オンオフ制御信号として１号送信機Ｄ１へ出力される。
ＡＮＤ回路３３では、一方の入力端に１／２号送信機制御入力部１４からの２号送信機オンオフ切替信号が入力され、他方の入力端にＯＲ回路３１からの出力信号が入力され、これらの入力状態に応じて、その論理演算結果が出力端から２号送信機オンオフ制御信号として２号送信機Ｄ２へ出力される。
【００２９】
図５には、同軸切替器２のＲＦ同軸回路の状態とアンサーＡ、Ｂ、Ａ１、Ｂ１の状態に関するタイミングチャートの一例を示してある。
具体的には、横軸により時間の経過を示して、ＲＦ同軸回路の（１−２、３−４）の状態に関して有効（オン）或いは無効（オフ）の状態と、ＲＦ同軸回路の（１−４、２−３）の状態に関して有効（オン）或いは無効（オフ）の状態と、アンサーＡに関してオン或いはオフの状態と、アンサーＢに関してオン或いはオフの状態と、アンサーＡ１に関してオン或いはオフの状態と、アンサーＢ１に関してオン或いはオフの状態を示してある。
【００３０】
１号送信機Ｄ１とアンテナ１との接続状態に関しては、１号送信機Ｄ１とアンテナ１とが接続された状態ではアンサーＡ及びアンサーＡ１がオンであり、アンサーＡがオフとなった後に所定の時間が経過した時に１号送信機Ｄ１とアンテナ１との接続状態がオフ（非接続）となるとともに同時にアンサーＡ１がオフとなり、また、１号送信機Ｄ１とアンテナ１とが非接続な状態から接続される場合には、１号送信機Ｄ１とアンテナ１との接続状態がオン（接続）となるとともに同時にアンサーＡ１がオンとなった後に所定の時間が経過した時にアンサーＡがオンとなる。
同様に、２号送信機Ｄ２とアンテナ１との接続状態に関しては、２号送信機Ｄ２とアンテナ１とが接続された状態ではアンサーＢ及びアンサーＢ１がオンであり、アンサーＢがオフとなった後に所定の時間が経過した時に２号送信機Ｄ２とアンテナ１との接続状態がオフ（非接続）となるとともに同時にアンサーＢ１がオフとなり、また、２号送信機Ｄ２とアンテナ１とが非接続な状態から接続される場合には、２号送信機Ｄ２とアンテナ１との接続状態がオン（接続）となるとともに同時にアンサーＢ１がオンとなった後に所定の時間が経過した時にアンサーＢがオンとなる。
【００３１】
このように、本例では、ＲＦ同軸回路の（１−２、３−４）状態のオンオフとアンサーＡ１とは同一のタイミングでオンオフが切り替えられ、これに対して、アンサーＡはオフからオンへの切り替えでは遅れてオンとなり、オンからオフへの切り替えでは早めにオフとなる。同様に、ＲＦ同軸回路の（１−４、２−３）状態のオンオフとアンサーＢ１とは同一のタイミングでオンオフが切り替えられ、これに対して、アンサーＢはオフからオンへの切り替えでは遅れてオンとなり、オンからオフへの切り替えでは早めにオフとなる。
一例として、同軸切替器２のＲＦ同軸回路の（１−２、３−４）状態及びアンサーＡ１がオンであってアンサーＡがオンとなっている場合には、この状態から同軸切替器２を回転させると、まずアンサーＡがオフとなり、その後、同軸切替器２のＲＦ同軸回路の（１−２、３−４）状態及びアンサーＡ１がオフとなり、また、更に回転させると、同軸切替器２のＲＦ同軸回路の（１−４、２−３）状態及びアンサーＢ１がオンとなり、その後、アンサーＢがオンとなる。
【００３２】
図３に示される本例の切替制御部１１により行われる動作の一例を示す。
例えば、１号送信機Ｄ１により送信を行うように切り替える場合には、切替要求信号としてオンの信号が入力され、アンサーＡがオフであれば（１−２、３−４）状態のＲＦ同軸切替制御信号がオンとなり、アンサーＡがオンであれば（１−２、３−４）状態のＲＦ同軸切替制御信号がオフとなる。また、この場合、（１−４、２−３）状態のＲＦ同軸切替制御信号はオフとなる。
具体的には、ＲＦ同軸回路の（１−２、３−４）状態がオフ、アンサーＡがオフ、切替要求信号がオフであるときには、（１−２、３−４）状態のＲＦ同軸切替制御信号はオフとなっている。このとき、切替要求信号がオフからオンへ切り替えられると、（１−２、３−４）状態のＲＦ同軸切替制御信号はオンとなり、これに応じて切替制御器２からのアンサーＡがオンとなると、（１−２、３−４）状態のＲＦ同軸切替制御信号はオフとなる。
【００３３】
また、２号送信機Ｄ２により送信を行うように切り替える場合には、切替要求信号としてオフの信号が入力され、アンサーＢがオフであれば（１−４、２−３）状態のＲＦ同軸切替制御信号がオンとなり、アンサーＢがオンであれば（１−４、２−３）状態のＲＦ同軸切替制御信号がオフとなる。また、この場合、（１−２、３−４）状態のＲＦ同軸切替制御信号はオフとなる。
具体的には、ＲＦ同軸回路の（１−４、２−３）状態がオフ、アンサーＢがオフ、切替要求信号がオンであるときには、（１−４、２−３）状態のＲＦ同軸切替制御信号はオフとなっている。このとき、切替要求信号がオンからオフへ切り替えられると、（１−４、２−３）状態のＲＦ同軸切替制御信号はオンとなり、これに応じて切替制御器２からのアンサーＢがオンとなると、（１−４、２−３）状態のＲＦ同軸切替制御信号はオフとなる。
【００３４】
ここで、本例では、例えば、（１−２、３−４）状態或いは（１−４、２−３）状態のＲＦ同軸切替制御信号がオンの状態であるときには、回転式の同軸切替器２の駆動モーターに電圧がかかっている。なお、同軸切替器２の駆動モーターへの電圧印加のタイミングとしては、種々な態様が用いられてもよい。
また、本例では、同軸切替器２のＲＦ同軸回路がオフ状態（本例では、アンテナ１やダミー負荷Ｒ１に接続されていない状態）である場合には、送信機（１号送信機Ｄ１、２号送信機Ｄ２）からのＲＦ出力信号を出力すると同軸切替器２が焼損する可能性があるため、ＲＦ同軸回路がオフ状態である場合には、保護回路（本例では、切替器保護制御部１２の回路）により、送信機（１号送信機Ｄ１、２号送信機Ｄ２）からのＲＦ出力信号をオフにする。
【００３５】
図４に示される本例の切替器保護制御部１２により行われる動作の一例を示す。
例えば、ＲＦ同軸回路が（１−２、３−４）状態ではなく且つ（１−４、２−３）状態ではないオフ状態では、アンサーＡ１及びアンサーＢ１は共にオフとなり、ＯＲ回路３１からの出力信号がオフとなるため、１号送信機オンオフ制御信号及び２号送信機オンオフ制御信号が共にオフとなって、１号送信機Ｄ１及び２号送信機Ｄ２が共にＲＦ信号を出力しないように制御される。
また、ＲＦ同軸回路が（１−２、３−４）状態或いは（１−４、２−３）状態である場合には、アンサーＡ１とアンサーＢ１との一方がオンとなり他方がオフとなり、ＯＲ回路３１からの出力信号がオンとなるため、１号送信機オンオフ切替信号と２号送信機オンオフ切替信号とでオンである方について、送信機オンオフ制御信号がオンとなって、送信機からＲＦ信号が出力される。
【００３６】
以上のように、本例のテレビジョン送信装置では、現用系と予備系を有した２台方式のテレビジョン送信機能を備え、これら２台を切り替えるためのモーターを使用した回転式の同軸切替器２を備えた構成において、検出位置（タイミング）をずらした２種類の切替器アンサー（本例では、アンサーＡ、Ｂと、アンサーＡ１、Ｂ１）を使用して、切替制御及び切替保護を行う。
従って、本例のテレビジョン送信装置では、同軸切替器２のＲＦ同軸回路のオンオフ状態とタイミングずれがあって同期したアンサーＡ、Ｂを設けて切替制御を行うとともに、同軸切替器２のＲＦ同軸回路のオンオフ状態とタイミングずれ無しで同期したアンサーＡ１、Ｂ１を設けて切替保護を行うことにより、１号送信機Ｄ１と２号送信機Ｄ２がアンテナ１又はダミー負荷Ｒ１に接続されている状態であれば、切替器保護制御部１２の回路による保護機能が動作せずに、送信信号について停波を防ぐことができ、送信の効率化を図ることができる。
【００３７】
なお、本例のテレビジョン送信装置では、同軸切替器２の機能により送信機切替手段が構成されており、切替器保護制御部１２の機能により送信機出力制御手段が構成されており、切替制御部１１の機能により送信機切替制御手段が構成されている。
また、本例のテレビジョン送信装置では、アンサーＡ、Ｂにより、送信機の切り替え（本例では、ＲＦ同軸回路の接続状態）とタイミングずれ有りで同期した信号が構成されており、また、アンサーＡ１、Ｂ１により、送信機の切り替え（本例では、ＲＦ同軸回路の接続状態）とタイミングずれ無しで同期した信号が構成されている。
【００３８】
ここで、本発明に係る送信装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００３９】
また、本発明に係る送信装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４０】
【図１】本発明の一実施例に係るテレビジョン送信装置の構成例を示す図である。
【図２】（ａ）及び（ｂ）は同軸切替器の切替状態の例を示す図である。
【図３】切替制御部の構成例を示す図である。
【図４】切替器保護制御部の構成例を示す図である。
【図５】同軸切替器に関するタイミングチャートの一例を示す図である。
【図６】切替器保護制御部の構成例を示す図である。
【図７】同軸切替器に関するタイミングチャートの一例を示す図である。
【符号の説明】
【００４１】
１・・アンテナ、  ２・・同軸切替器、  ３・・自動制御表示板、  １１・・切替制御部、  １２・・切替器保護制御部、  １３・・切替要求入力部、  １４・・１／２号送信機制御入力部、  ２１、２２、３２、３３、４２、４３・・ＡＮＤ回路、  ３１、４１・・ＯＲ回路、  Ｃ１・・１号変調器、  Ｃ２・・２号変調器、  Ｄ１・・１号送信機、  Ｄ２・・２号送信機、  Ｒ１・・ダミー負荷、
【図１】
2006129333.tif 000003
【図２】
2006129333.tif 000004
【図３】
2006129333.tif 000005
【図４】
2006129333.tif 000006
【図５】
2006129333.tif 000007
【図６】
2006129333.tif 000008
【図７】
2006129333.tif 000009